(57)【特許請求の範囲】
【請求項１】
筒本体の内部に、印判を搭載した軸状のケースを回動自在に収納するとともに、筒本体に前記印判が露呈する窓孔を開設して印字面を筒本体の外側へ出没可能とし、また印判の未使用時には前記ケースを回動して印字面を窓孔より遮蔽するように構成した回動式印であって、
前記ケースには回動に連動して筒本体に設けたスリット孔より出没可能で、かつ印判が窓孔に露呈する位置ではスリット孔より外側に向けて突出した状態となる押え板が装着されており、
印判の使用時において前記押え板を押圧して前記印字面を筒本体の外側へ突出させ捺印するように構成したことを特徴とする回動式印。
【請求項２】
ケース又は筒本体の外周部には、捺印の際に印字面が被印字物に対して水平状態となるように位置合わせするための位置合わせ用突起が設けられている請求項１に記載の回動式印。
【発明の詳細な説明】
【技術分野】
【０００１】
本発明は、コンパクトに印判を収納できて持ち運びに便利であり、また捺印時には正しく水平状態に位置合わせした状態で捺印することができる回動式印に関するものである。
【背景技術】
【０００２】
例えば、特許文献１に示されるように、筆記具の軸部の側面内部に住所、氏名等を表記した大きめの印判を着脱自在に収納した印判付きの筆記具が知られている。また、軸筒内部に印鑑を搭載したケースを回動自在に収納するとともに、軸筒に前記印鑑が露呈する窓孔を開設して印字面を筒本体の外側へ出没可能に構成し、また印鑑の未使用時には前記ケースを回動して印字面を窓孔より遮蔽するようにした印鑑付筆記具も公知である（例えば、特許文献２を参照）。
【０００３】
しかしながら、特許文献１に記載のものは、使用するたびに印判を軸部から取り外す構造のため着脱操作が面倒であり、また分離した筆記具が紛失するおそれがあるという問題もあった。また、特許文献２に記載のものは、露呈した印鑑の印字面を水平状態に位置合わせすることが難しく、捺印した場合にカスレ等を発生させやすいという問題や、捺印の際にはガイド板を軸方向へスライド移動させる必要があり操作が難しいという問題があった。
そこで、印判をコンパクトに収納することができて持ち運びに便利であり、また捺印時には正しく水平状態に位置合わせした状態で、かつ簡単な操作で捺印することができる筆記具付の回動式印の開発が要望されていた。更には、印鑑付の筆記具に限定されずにコンパクトで、かつデザイン的にも優れた回動式印の商品開発も要望されていた。
【先行技術文献】
【特許文献】
【０００４】
【特許文献１】実公昭４１−２４７２５号公報
【特許文献２】実開平３−７７６９４号公報
【発明の概要】
【発明が解決しようとする課題】
【０００５】
本発明は上記のような問題点を解決して、コンパクトに印判を収納できて持ち運びに便利であるとともにデザイン的にも優れており、また捺印時には正しく水平状態に位置合わせした状態で美しく捺印することができる回動式印を提供することを目的とするものである。
【課題を解決するための手段】
【０００６】
上記課題を解決するためになされた本発明の回動式印は、筒本体の内部に、印判を搭載した軸状のケースを回動自在に収納するとともに、筒本体に前記印判が露呈する窓孔を開設して印字面を筒本体の外側へ出没可能とし、また印判の未使用時には前記ケースを回動して印字面を窓孔より遮蔽するように構成した回動式印であって、
前記ケースには回動に連動して筒本体に設けたスリット孔より出没可能で、かつ印判が窓孔に露呈する位置ではスリット孔より外側に向けて突出した状態となる押え板が装着されており、
印判の使用時において前記押え板を押圧して前記印字面を筒本体の外側へ突出させ捺印するように構成したことを特徴とするものである。
【０００７】
その他の好ましい実施形態によれば、前記ケース又は筒本体の外周部には、捺印の際に印字面が被印字物に対して水平状態となるように位置合わせするための位置合わせ用突起が設けられているものが好ましい。
【発明の効果】
【０００８】
本発明の回動式印では、ケースには回動に連動して筒本体に設けたスリット孔より出没可能で、かつ印判が窓孔に露呈する位置ではスリット孔より外側に向けて突出した状態となる押え板が装着されている構造としたので、印判の使用時には前記ケースを回動して印字面を窓孔より露呈させ、前記押え板を押圧して前記印字面を筒本体の外側へ突出させれば簡単に捺印することができる。一方、印判を使用しない時には前記ケースを回動して印字面を窓孔より遮蔽した状態にできるので、取扱い性に優れており、また持ち運びにも便利である。またデザイン的にも優れた回動式印を提供することができる。
【０００９】
また、前記ケース又は筒本体の外周部に、捺印の際に印字面が被印字物に対して水平状態となるように位置合わせするための位置合わせ用突起が設けられているものでは、被印字物に対して印字面を自動的に水平状態に保つことができるので、被印字物に対して印面が常に水平に接することで、鮮明捺印が可能となる。
【図面の簡単な説明】
【００１０】
【図１】本発明の実施の形態を示す中央縦断面図である。
【図２】印判を窓孔に露呈させた状態を示す中央縦断面図である。
【図３】捺印時の状態を示す中央縦断面図である。
【図４】Ａ−Ａ断面図である。
【図５】Ｂ−Ｂ断面図である。
【図６】Ｅ−Ｅ断面図である。
【図７】Ｆ−Ｆ断面図である。
【図８】Ｇ−Ｇ断面図である。
【図９】（ａ）は筒本体を示す斜視図、（ｂ）は逆方向から見た斜視図である。
【図１０】（ａ）はケースを示す斜視図、（ｂ）は逆方向から見た斜視図である。
【図１１】本発明に係る回動式印の作動を説明するための斜視図である。
【図１２】本発明に係る回動式印の作動を説明するための斜視図である。
【図１３】本発明に係る回動式印の作動を説明するための斜視図である。
【図１４】本発明に係る回動式印の作動を説明するための斜視図である。
【図１５】（ａ）は回動式印を被捺印物にセットした状態を示す説明図、（ｂ）はその捺印状態を示す説明図である。
【図１６】（ａ）はその他の形態における回動式印を被捺印物にセットした状態を示す説明図、（ｂ）はその捺印状態を示す説明図である。
【図１７】誤作動防止の形態を示す説明図である。
【図１８】図１７の縦断面図である。
【発明を実施するための形態】
【００１１】
以下に、図面を参照しつつ本発明の好ましい実施の形態を示す。
図面は、本発明の一例として印判付の筆記具を示すものである。図１は印判の未使用時における状態（通常状態）の中央縦断面図、図２は印判を使用位置にセットした状態（セット状態）の中央縦断面図である。また、図４は図１におけるＡ−Ａ断面図、図５は図２におけるＢ−Ｂ断面図、図６は捺印時におけるＢ−Ｂ位置の断面図である。
【００１２】
図において、３０は筆記具を示し、３１はリフィール、３２は連結部を示す。なお、本発明は回動式印部分の構造に特徴を有するもの、筆記具部分は公知技術と同様の構造からなり必須の構成要件ではない。また、以下の実施例では印判付の筆記具について説明するが、筆記具部分がなく回動式印部分のみの構造とすることや、その他の任意の物品と組み合わせた構造とすることができるのは勿論である。
【００１３】
本発明の回動式印は、図１に示すように、円筒状の筒本体１が前端の連結部において前記筆記具３０の連結部３２と連結一体化され、後方部にはクリップ５が取り付けられたものとなっている。この筒本体１の側面には、前記印判３が露呈する窓孔４が開設されている。また、この筒本体１の内部には、印判３を搭載した合成樹脂からなる軸状のケース２が相対的に回動自在に収納されており、捺印時には前記ケース２を回動して印判３を窓孔４に位置合わせしたうえで、前記窓孔４より印字面を筒本体１の外側へ出没可能な構造となっている（窓孔４については図９を参照）。
一方、印判３を使用しない時には、図４に示すように、前記ケース２を回動して印字面を窓孔４より遮蔽するように構成されている。
なお、図中１ａはケース２の端部に装着された天冠で、ケース２と協動するよう構成されている。また、図示のものでは天冠とケースとは別部材となっているが、一体的に成形されたものでもよい。
【００１４】
更に、前記ケース２には、ケースの回動に連動して筒本体１に設けたスリット孔６より出没可能で、かつ印判３が窓孔４に露呈する位置ではスリット孔６より外側に向けて突出した状態となる押え板７が装着されている（スリット孔６については図９を参照）。そして印判３の使用時においては、突出している前記押え板７をケース２の中心軸に向けて押圧し、これにより印判３の印字面が筒本体１の外側へ突出した状態として捺印できるように構成されている。
【００１５】
以下に、前記筒本体１とケース２について説明する。
前記筒本体１は円筒形状からなるものであり、図９に示すように、その側面には印判３が露呈する窓孔４と、押え板７を出没させるスリット孔６が開設されている。
一方、前記ケース２は軸状のものであり、筒本体１内において軸方向に回動自在に収納されている（図１０を参照）。また、このケース２にはケースの回動に連動して前記スリット孔６から出没可能な押え板７が装着されている。
【００１６】
更に詳述すると、図１および図４に示すように、ケース２の内部には、印判３をセットするためのセット部材８が取り付けられている。このセット部材８は、両端の支柱８ａの先端に外側に向けて垂直に形成した突片部８ｂがピン９に挿通されて昇降動自在となっているとともに、コイルバネ１０により常に窓孔４とは反対方向へ弾発された状態となっている。即ち、セット部材８は常時は弾発されて印判３が窓孔４から外側へ突出しない状態を保持している。そして、この状態ではケース２が筒本体１内で自在に回動できる構造となっている。なお、前記ピン９は両端をケース２の固定孔２ｂによって固定されている（固定孔２ｂについては図１０を参照）。
【００１７】
また、前記セット部材８の印判セット面の背面側（印判３をセットする側と反対側）には押え板７が装着されている。この押え板７は、印判の使用時においてケース２の中心軸に向けて押圧することで印判３の印字面を筒本体１の外側へ突出させ、捺印を可能にするためのものである。
この押え板７は、両側部に設けた係止溝７ａを一対の軸８ｃ、８ｃで係止することにより、この軸８ｃを中心に回動自在とされている。なお、前記軸８ｃは前記支柱８ａの内側に向けて垂直に突設されたものである。更に、この押え板７は、前記軸８ｃに装着したねじりバネ１１によって常に先端部（係止溝７ａがある側を基部とした場合に、その反対側）が跳ね上げられた状態となるように構成されている。
【００１８】
従って、前記押え板７は通常の状態においては、筒本体１の壁面により先端部の跳ね上げが規制されて筒本体１内に収納された状態となり（図７を参照）、一方、天冠１ａを回動操作することによりケース２を筒本体１に対して相対回動した場合は、筒本体１に設けたスリット孔６から押え板７の先端部がねじりバネ１１の付勢によって徐々に飛び出し、印判３が窓孔４に一致する位置まで回動すると、押え板７はケース２の中心軸に向けて立設した状態になる（図８を参照）。
なお、通常の状態においては、筒本体１の窓孔４に対しケース２の壁面部２ａが位置するように構成されているため、窓孔４は閉ざされた状態となっている。
【００１９】
ケース２を回動した状態では、印判３は窓孔４から露呈した状態となっている（図２および図５を参照）。次いで捺印する場合は、被印刷物の所定の位置に印判３をセットし押え板７を押圧する。これにより、押え板７はコイルバネ１０の弾発力に反してケース２の中心軸に向けて移動するが、押え板７の両側部の係止溝７ａには軸８ｃが係止されているので、セット部材８も同時に移動することとなる。更に押え板７の押圧を強めると、印判３の印字面が筒本体１の外側へ突出して捺印処理を完了する（図３および図６を参照。なお図３では、コイルバネ１０とねじりバネ１１は図示せず。）。
捺印後は、天冠１ａを逆方向へ回動操作してケース２を元の位置へ戻すと、前記押え板７は筒本体１内に収納された状態となり、また筒本体１の窓孔４もケース２の壁面部２ａによって閉ざされた状態となる。
【００２０】
図１１〜図１４は、本発明に係る回動式印の作動の説明図である。
図１１に示すように、通常は筒本体１の窓孔４はケース２の壁面部２ａで閉ざされており印判３は筒本体１内に隠蔽された状態となっている。次いで、図１２に示すように、ケース２を筒本体１に対し相対的に回動して筒本体１の窓孔４に印判３を露呈させて、捺印可能な状態とする。この時、図１３に示すように、前記窓孔４と反対側には押え板７が自動的に突出された状態となる。次いで、図１４に示すように、回動式印を被捺印物（図示せず）にセット後、押え板７を押圧すると、印字面が筒本体１の外側へ突出して捺印を完了する。
捺印後は、ケース２を回動して元の状態に戻せば、窓孔４は閉ざされるので印判３による汚れもなく取扱いが容易である。また、図示のように筆記具が組み合わされているものは、通常の筆記具として使用に供することができる。
【００２１】
図１５は、本発明の回動式印を被捺印物３５にセットした状態を示す説明図である。この場合、印字面を被捺印物３５に対し水平にしないとカスレ等の捺印不良を発生させることとなるが、本発明では筒本体１の外周面とクリップ５の接点の２点支持によって印字面の水平状態を確保することができる。
更に、図１６に示すように、筒本体１の外周部に、捺印の際に印字面が被印字物に対して水平状態となるように位置合わせするための位置合わせ用突起１２を設けた場合には、クリップ５と位置合わせ用突起１２により印字面を挟むようにして筒本体１をしっかりと固定でき、より確実に印字面の水平状態を確保することが可能となる。なお、前記位置合わせ用突起はケースの外周部に設けることもできる。また、前記グリップは、前記位置合わせ用突起の概念に含まれる。
このように、クリップ５や位置合わせ用突起１２がガイドの役目を果たすことで、被印字物の所望の位置に印判３を的確にセットすることができることとなる。また、位置合わせ用突起をケースの外周部に設ける場合は、クリップ５の延長線上に設けることが可能なため、回動式印を手に持つときや胸にさすときといった印判を使用しない時に邪魔になり難く、また、デザイン上の制約も低減できるという効果が生じる。
【００２２】
また、図１７〜図１８に示すように、誤動作防止機構を設けることも好ましい。これは、印判３を使用しないのに勝手に、あるいは間違えてケース２を回動すると窓孔４から印字面が露出して汚れる場合等があり好ましくない。
そこで、筒本体１に嵌合溝１３を設けるとともに（嵌合溝１３については図９を参照）、ケース２には嵌合突起１４付きのロック片１５を設けておき（ロック片１５については図１０を参照）、ロック片１５を押し下げて嵌合突起１４と嵌合溝１３との嵌合を解除した場合のみにケース２の回動ができるように構成しておけば、ケース２の誤作動を防止することができる。
【００２３】
以上の説明からも明らかなように、本発明の回動式印は、ケースの回動に連動して筒本体に設けたスリット孔より出没可能で、かつ印判が窓孔に露呈する位置ではスリット孔より外側に向けて突出した状態となる押え板が装着されており、印判の使用時において前記押え板を押圧して前記印字面を筒本体の外側へ突出させ捺印するように構成したので、コンパクトに印判を収納できて持ち運びに便利であるとともにデザイン的にも優れており、また捺印時には正しく水平状態に位置合わせした状態で美しく捺印することができるという種々の利点を有するものである。
【符号の説明】
【００２４】
１  筒本体
１ａ  天冠
２  ケース
２ａ  壁面部
２ｂ  固定孔
３  印判
４  窓孔
５  クリップ
６  スリット孔
７  押え板
７ａ  係止溝
８  セット部材
８ａ  支柱
８ｂ  突片部
８ｃ  軸
９  ピン
１０  コイルバネ
１１  ねじりバネ
１２  位置合わせ用突起
１３  嵌合溝
１４  嵌合突起
１５  ロック片
３０  筆記具
３１  リフィール
３２  連結部
３５  被捺印物
【図１】
0006486787.tif 000002
【図２】
0006486787.tif 000003
【図３】
0006486787.tif 000004
【図４】
0006486787.tif 000005
【図５】
0006486787.tif 000006
【図６】
0006486787.tif 000007
【図７】
0006486787.tif 000008
【図８】
0006486787.tif 000009
【図９】
0006486787.tif 000010
【図１０】
0006486787.tif 000011
【図１１】
0006486787.tif 000012
【図１２】
0006486787.tif 000013
【図１３】
0006486787.tif 000014
【図１４】
0006486787.tif 000015
【図１５】
0006486787.tif 000016
【図１６】
0006486787.tif 000017
【図１７】
0006486787.tif 000018
【図１８】
0006486787.tif 000019